(57)【要約】【課題】  テント用フレームの大きさ・形状をかなり自在なものにでき、目的・地形に応じて適した寸法・形状のテントを作ることができるテント用伸縮フレームを提供する。【解決手段】  中央上部にロープ通しリング２ａを突設した頂部金具２の下部中央と周縁に複数のリング２ｂを設け、同リング２ｂに長さ調整できる複数の脚杆３の頭部を放射状に且つ遊動自在に連結し、脚杆の所定位置に脱着自在な取付金具４を脱着自在に又は摺動して取付位置が変更可能に取付け、所要の取付金具間に長さ調整可能な連接杆５を配置するとともに、連接杆５と取付金具４とを遊動自在に連結し、複数の長さ調整自在な脚杆３と連接杆５及び遊動自在なリング２ａ，２ｂ，４ｇ，４ｈと当金付フックのかぎ棒３ｃ，５ｄ，５ｅ連結によってテントフレームを様々な形状・寸法に形成できるようにした。【選択図】図１
2006328939.tif 000002
【特許請求の範囲】
【請求項１】
頂部金具の下部又は周縁に長さ調整できる複数の脚杆の頭部を放射状に且つ遊動自在に連結し、脚杆の所定位置に脱着自在な取付金具を脱着自在に又は摺動して取付位置が変更可能に取付け、所要の取付金具間に長さ調整可能な連接杆を配置するとともに、連接杆と取付金具とを遊動自在に連結し、複数の長さ調整自在な脚杆と連接杆及び遊動自在な連結によってテントフレームを様々な形状・寸法に形成できるようにした、テント用伸縮フレーム。
【請求項２】
頂部金具の中央上部にロープ通しリングを突設した、請求項１記載のテント用伸縮フレーム。
【請求項３】
頂部金具の下面中央に長さ調整できる支柱杆を脱着自在に取付けた、請求項１又は２記載のテント用伸縮フレーム。
【請求項４】
頂部金具と脚杆頭部の連結が、頂部金具にリングを取付け、脚杆頭部に当金付フックを固着し、リングと当金付フックとを連係させることで遊動自在に連結する構造である、請求項１〜３いずれか記載のテント用伸縮フレーム。
【請求項５】
取付金具と連接杆の連結が、取付金具にリングを取付け、連接杆の杆端に当金付フックを固設し、同リングと当金付フックとを連係して遊動自在に連結する構造である、請求項１〜４いずれか記載のテント用伸縮フレーム。
【請求項６】
取付金具が、脚杆の外径より僅か小さい内径の縦半割円筒体を互いに蝶番で開閉自在に連結し、縦半割円筒体のそれぞれの自由端にフランジ部を設け、同フランジを連結する連結具を備え、脚杆の外周に縦半割円筒体を被せて縦半割円筒体を連結具で連結することで脚杆を縦半割円筒体で緊締することで固着する、請求項１〜５いずれか記載のテント用伸縮フレーム。
【請求項７】
頂部金具と脚杆頭部の連結が、脚杆の頭部にボルトを突設し、頂部金具にボルトの外径より拡径した通し孔を形成し、脚杆のボルトを頂部金具の通し孔に通して頂部金具の上方でボルトとナットを螺合し、各脚杆の頂部を一方向に螺旋状に傾斜させて互いを当接させて頂部を固定し、脚杆の当接を解いて縮退させて脚杆を折り畳みできるようにした構造である、請求項１〜３いずれか記載のテント用伸縮フレーム。
【請求項８】
頂部金具が円板状で、各通し孔間に凹所が形成されるように断面波状に成型した、請求項７記載のテント用伸縮フレーム。
【請求項９】
連接杆が、その端部に突起を形成したもので、取付金具が、ワイヤーを巻回して脚杆を上下方向に通す通し環を形成し、その両端部を折曲して連接杆の突起を上方から脱着自在に掛止するフックを形成したものである、請求項１〜４，７，８いずれか記載のテント用伸縮フレーム。
【請求項１０】
請求項１〜９いずれか記載のテント用伸縮フレームの外側にテントシートカバーを覆い、テント内部に簡易トイレ設備を配置することで構成される屋外仮設トイレ場。
【発明の詳細な説明】
【技術分野】
【０００１】
本発明は、野外・屋外のキャンピングテント、レジャーテント、仮設トイレ（臨時トイレ）、小型小屋、仮設小屋等に使用されるテント用フレームであって、テントの形が自在にでき、又設置する地形に応じて容易に設営でき、且つコンパクトに伸縮フレームを収縮させてコンパクトにでき、又は別体として分離して、保管・収納スペースが小さくでき、運送も容易なテント用伸縮フレームを提供する。及びこれを使用した、簡単且つ安価に製作できる屋外の仮設トイレ場を提供する。
【背景技術】
【０００２】
従来、テント用フレームが折り畳めるようになったものとして、実開平６−１０５６２号公報に記載のテントフレームが知られている。このテント用フレームはテントの頂部となる保持具の下面に上部フレーム脚の頭部を挿入するキャップを設け、同キャップに上部フレーム脚の頭部を挿入するとともに、上部フレーム脚の頭部に保持具を貫通するボルトを螺合して固定し、又上部フレーム脚の脚下端と脚フレームの上端とを筒部を有する連結具の反対側の筒部から差し込んで連結して長尺にし、更に脚フレーム間に所定長さのコ字状フレームを配置し、コ字状フレームの端部を上記連結具に取付けた挿入溝に挿入して連結させる構造である。
しかしながら、この従来のテント用フレームは脚の取付方向、脚の長さは一定の為に、同じ形状寸法のフレームしか作れずに、一種の形状・寸法のテントしか作れなかった。その為、違った寸法のテントには別の寸法・形状が違うテント用フレームを用意せねばならなかった。又、脚の長さが違う変形したテント形状とすることもできなかった。更に、地面の凹凸、岩場等の如く、平坦でない地面・足場では、テント用フレームを安定して設置できなかった。
【特許文献１】実開平６−１０５６２号公報
【発明の開示】
【発明が解決しようとする課題】
【０００３】
本発明が解決しようとする課題は、テント用フレームの大きさ・形状をかなり自在なものにでき、目的・地形に応じた適した寸法・形状のテントを作ることができ、又、地面に凹凸・岩場等の如く平坦でない地面・足場でも安定してフレームを設置できるようにすることにある。
【課題を解決するための手段】
【０００４】
かかる課題を解決した本発明の構成は、
１）  頂部金具の下部又は周縁に長さ調整できる複数の脚杆の頭部を放射状に且つ遊動自在に連結し、脚杆の所定位置に脱着自在な取付金具を脱着自在に又は摺動して取付位置が変更可能に取付け、所要の取付金具間に長さ調整可能な連接杆を配置するとともに、連接杆と取付金具とを遊動自在に連結し、複数の長さ調整自在な脚杆と連接杆及び遊動自在な連結によってテントフレームを様々な形状・寸法に形成できるようにした、テント用伸縮フレーム
２）  頂部金具の中央上部にロープ通しリングを突設した、前記１）記載のテント用伸縮フレーム
３）  頂部金具の下面中央に長さ調整できる支柱杆を脱着自在に取付けた、前記１）又は２）記載のテント用伸縮フレーム
４）  頂部金具と脚杆頭部の連結が、頂部金具にリングを取付け、脚杆頭部に当金付フックを固着し、リングと当金付フックとを連係させることで遊動自在に連結する構造である、前記１）〜３）いずれか記載のテント用伸縮フレーム
５）  取付金具と連接杆の連結が、取付金具にリングを取付け、連接杆の杆端に当金付フックを固設し、同リングと当金付フックとを連係して遊動自在に連結する構造である、前記１）〜４）いずれか記載のテント用伸縮フレーム
６）  取付金具が、脚杆の外径より僅か小さい内径の縦半割円筒体を互いに蝶番で開閉自在に連結し、縦半割円筒体のそれぞれの自由端にフランジ部を設け、同フランジを連結する連結具を備え、脚杆の外周に縦半割円筒体を被せて縦半割円筒体を連結具で連結することで脚杆を縦半割円筒体で緊締することで固着する、前記１）〜５）いずれか記載のテント用伸縮フレーム
７）  頂部金具と脚杆頭部の連結が、脚杆の頭部にボルトを突設し、頂部金具にボルトの外径より拡径した通し孔を形成し、脚杆のボルトを頂部金具の通し孔に通して頂部金具の上方でボルトとナットを螺合し、各脚杆の頂部を一方向に螺旋状に傾斜させて互いを当接させて頂部を固定し、脚杆の当接を解いて縮退させて脚杆を折り畳みできるようにした構造である、前記１）〜３）いずれか記載のテント用伸縮フレーム
８）  頂部金具が円板状で、各通し孔間に凹所が形成されるように断面波状に成型した、前記７）記載のテント用伸縮フレーム
９）  連接杆が、その端部に突起を形成したもので、取付金具が、ワイヤーを巻回して脚杆を上下方向に通す通し環を形成し、その両端部を折曲して連接杆の突起を上方から脱着自在に掛止するフックを形成したものである、前記１）〜４），７），８）いずれか記載のテント用伸縮フレーム
１０）  前記１）〜９）いずれか記載のテント用伸縮フレームの外側にテントシートカバーを覆い、テント内部に簡易トイレ設備を配置することで構成される屋外仮設トイレ場
にある。
【発明の効果】
【０００５】
本発明によれば、長さ調整ができる脚杆と連接杆を使用し、しかも脚杆の頭部と頂部金具とは遊動自在に連結されているので、脚の長さとその脚方向を自在に調整してフレームの形状・寸法をかなり自由に変更することができる。しかも脚杆間を連接する連接杆も脚杆の方向に応じて長さが調整でき、取付金具は脱着自在又は摺動できるので脚杆の取付位置を変えて最適の位置に取付けられ、しかも取付金具と連接杆が遊動自在となることで、変更された脚間でも取付位置・杆の方向・寸法を適切に変更することで対応できるものとなる。
このように、本発明では、テントのフレームの形状・寸法を自在に調整でき、一つのテント用フレームでテントの大きさの変更、形状の変更ができ、又脚の方向・長さが自在にできるので凹凸のある地面・岩場、足場の悪い所でもテントを容易に設営できる。
【発明を実施するための最良の形態】
【０００６】
本発明の長さの調整できる脚杆・連接杆・主柱杆としては、螺合して螺合の深さで伸縮ができる杆・棒でもよいし、外径の小さいパイプを大きいパイプに挿入し、所定長さにした所で小さいパイプ先端に取付けた拡径できる連結具を拡径して任意の位置で固定できるような構造でもよい。
本発明は頂部金具と脚杆との遊動自在な連結方法及び取付金具と連接杆との遊動自在な連結方法としては、互いにリングを固着し、そのリングを互いに連係する方法が最も簡単で且つ強度的に強いので好ましい。又は茄子環（セルフロッキングフック），かぎ棒（バーフック），安全リンク等脱着自在に係止することが更によい。これに代わる方法として、ボール自在継手・クランク継手でも可能である。特に脚杆の取付方向（傾き）がかなり自在に変更できることが好ましい。又、本発明のテント用フレームに被せるテントシートは、寸法が変更されても使用できるように、折り込みで寸法に対応できるようにするか、又は別シートを連結して大きくする等の手法を採るか、複数種の形状寸法のテント用シートを用意するかである。
本発明のテント用伸縮フレームの形状の高さが低く敷地面積が大きいときは、中央に主柱杆を立てるようにすることが、強度上好ましい。
【実施例１】
【０００７】
以下、野外トイレ設置用テントのテント用伸縮フレームの実施例を、図面に基づいて説明する。
本実施例では、遊動自在な連結方法として、リングとかぎ棒（バーフック）を使用した。このかぎ棒は止金付フックでリングの出入れと入れた状態をロックできる構造である。又脚杆及び連接杆の長さ調整の構造として、大小のパイプを挿入し小パイプの先端に小パイプを一方の方向に回転させることで拡径できる公知の拡径連結具を設け、大パイプの任意の位置で小パイプを大パイプに固着できるようにしている。又取付金具として縦半割筒体を蝶番で開閉自在にしてフランジの蝶ねじの連結具で脚杆に取付けられる構造のものを採用した。
【０００８】
図１は、実施例の組み立て状態を示す説明図である。
図２は、実施例を示す平面図である。
図３は、頂部金具を示す正面図である。
図４は、頂部金具の平面図である。
図５は、頂部金具を示す底面図である。
図６は、脚杆を示す説明図である。
図７は、連接杆を示す正面図である。
図８は、リングとかぎ棒の連係状態を示す説明図である。
図９は、実施例の取付金具を示す斜視図である。
図１０は、取付金具の取付状態を示す説明図である。
図１１は、実施例のフレームの形状と設置状態を示す説明図である。
図１２は、拡径連結具を示す説明図である。
図１３は、野外仮設トイレとしての使用状態を示す説明図である。
【０００９】
図中、１は実施例のテント用伸縮フレーム、２は金属製頂部金具、２ａはその中央上面に突設したロープ通し用リング、２ｂは頂部金具２の下部下面の中央とその周縁に放射状に垂設され、脚杆３・主柱杆８を遊動自在に連結するためのリング、３は大小のパイプ３ｂ，３ａを嵌入し、小パイプ３ａの先端に拡径連結具３ｄを設けて長さ調整できる脚杆、３ｃは同脚杆の杆頭に取付けられ、当金からリングを挿入できるかぎ棒（バーフック）で頂部金具２のリング２ｂと脱着自在に連係されている。３ｄは小パイプ３ｂの先端に取付けられた拡径連結具、３ｅはパイプ継手筒、４は縦半割筒体４ａ，４ｂを蝶番４ｃで開閉自在に連結した取付金具、筒体４ａ，４ｂの内面にはゴムライニングがあり、その内径は脚杆３の小パイプの外径より僅か小さい。４ｄ，４ｅは縦半割筒体４ａ，４ｂの自由端側に設けたフランジ、４ｆは同フランジ４ｄ，４ｅを連結する蝶ねじの連結具、４ｇ，４ｈは縦半割筒体４ａ，４ｂに取付けたリング、５は脚杆と同じ拡径連結具３ｄで長さ調整自在な大小パイプ５ａ，５ｂよりなる連接杆、５ｃは拡径連結具３ｄと同じ拡径連結具、５ｄ，５ｅは連接杆５の杆端に取付けられ、リング４ｇ，４ｈと連係させて遊動自在に取付けるかぎ棒（バーフック）である。１０は脚杆３を地面に固定するアンカー釘、６はロープ、７はロープ端固定アンカー釘、８は長さ調整できる主柱杆、９はテントシートである。
【００１０】
この実施例では、頂部金具２のリング２ａにロープ６を通し、４つの脚杆３は頂部金具２の下部周縁の４つのリング２ｂと脚杆３のかぎ棒３ｃとの連係によって、方向がかなり自在に遊動自在に連結されている。脚杆３自体は大小のパイプ３ａ，３ｂの２本、又は３本が挿入され、小さい方のパイプの挿入端に取付けられた図１２に示す拡径連結具３ｄを拡径させる方向に回転させることで拡径して小パイプ３ａは大パイプ３ｂ内の任意の挿入位置で固定され、長さ調整できるようになっている。尚、小パイプを挿入するとき拡径連結部の拡径部材の外径は小さくし、挿入されて所定長さとなった位置で小パイプを回転することで拡径部材の外径が大きくなって大パイプ内面に圧接して固着状態となる（周知の機構であるので構造詳図は省略する。）。小パイプを逆方向に回転すると拡径連結部が縮径して大パイプ内に小パイプを自由に移動して長さが調整できる。
【００１１】
このように複数の脚杆３を所要の方向に所要の長さに調整をして、図１に示すように設置する。又、頂部金具２の下面リング２ａには長さ調整できる主柱杆８を取り付ける。ロープ６のロープ端はロープ端固定アンカー釘７で引張状態を保持するように固定する。
【００１２】
又、脚杆３及び主柱杆８の調整と接地が完了した後、取付金具４をその縦割筒体４ａ，４ｂを開いて脚杆３の所要の位置で脚杆３を内側にするようにして閉じ、各フランジ４ｄ，４ｅは蝶ねじの連結具４ｆで連結する。これによって縦割筒体４ａ，４ｂの内面が脚杆３の外周をその内径・外径の僅かな径差によって圧接して取付金具４を脚杆３に固着する。連接杆５はその杆端のかぎ棒３ｃとリング４ｇ，４ｈ，５ｄ，５ｅを介して取付金具４に取付けられる。
【００１３】
このように、複数の脚杆３は、複数の連接杆５によって互いに連接されることによって、フレーム形が保持され、且つ強度が強くなる。各脚杆３はその下端のアンカー釘５によって地面に固定され、又ロープ６が頂部金具２のリング２ａを挿通してロープ端固定アンカー釘７で張り渡されることで、テント用フレーム１を下方に押しつけて、テントシートの風圧によって持ち上げられるのを防いでいる。
この後に、このテント用フレーム１にこれにあったテントシート９が被せられ、それと付属した紐等でテント用フレームに固着されてテントができる。
テント内の地面にはグランドシートが敷設され、その上にトイレ用便器１０，水タンク，小型便槽が配置され、屋外仮設トイレ場としてテントが使用できるようになっている（図１３参照）。
【００１４】
本実施例は、屋外仮設トイレ場として使用したが、それ以外のテントのフレームの例を図１１に示している。このように本実施例は、その寸法・形状をかなり自在に変えられ、又その設置も平坦地以外に凹凸のある地面、岩場でも可能としている。本実施例のテント用伸縮フレームは、頂部金具２と、脚杆３と、連接杆５とに分離されて、コンパクトに格納でき、保管運送が容易である。
【００１５】
図１４〜１８に示すのは、実施例のテント用伸縮フレームの他の例である。図１４は実施例の他の例の頂部金具の斜視図、図１５は実施例の他の例の頂部金具の平面図及びそのＡ−Ａ断面図、図１６は実施例の他の例の頂部の固定及び解除の説明図、図１７は実施例の他の例の連接杆と取付金具の説明図、図１８は実施例の他の例のテント用伸縮フレームを分解・折り畳みした状態を示す説明図である。図中、２ｃは通し孔、２ｄは吊り具、３ｅはボルト、３ｆはナット、４ｉは通し環、４ｊはフック、５ｆは突起である。
【００１６】
実施例の他の例では、図１４，１５に示すように、脚杆３はその頭部にボルト３ｅを突設し、頂部金具２は円板状に形成してボルト３ｅの外径より拡径した通し孔２ｃを放射状に４箇所形成し、通し孔２ｃ間に凹所が形成されるように断面波状に成型し、中央下部に照明等を吊り下げる吊り具２ｄを取り付け、脚杆３のボルト３ｅを頂部金具２の通し孔２ｃに通して頂部金具２の上方でボルト３ｅとナット３ｆを螺合している。
【００１７】
使用時は、図１６（ａ）に示すように、各脚杆３の頂部を一方向に螺旋状に傾斜させて互いを当接させて頂部を固定する（Ｐは当接部分を示す）。頂部金具２の通し孔２ｃは波状により開口が楕円状に形成されているから、脚杆３のボルト３ｅが平板と比較して動き易く傾斜角度を大きく取れる。未使用時は、図１６（ｂ）に示すように、脚杆３同士の当接を容易に解いて脚杆３を折り畳みできるようにしている。
【００１８】
また、図１７に示すように、連接杆５はその端部に突起５ｆを形成し、取付金具４はワイヤーを巻回して脚杆３を上下方向に通す通し環４ｉを形成するとともに、その両端部を内側に折曲してフック４ｊをそれぞれ形成し、通し環４ｉに脚杆３を通した後に取付金具４を固定すべき位置に摺動させ、連接杆５を上方から落として突起５ｆをフック４ｊに脱着自在且つ遊動自在に掛止できるようにしている。この例は、実施例と比較してより簡易な構造にして低コスト化を図ることができる。
【００１９】
この実施例の他の例のテント用伸縮フレーム１を分解・折り畳みした状態を図１８に示す。このように、未使用時はコンパクトに分解・折り畳みができ、しかも部品の数も少なく、運搬・管理が容易である。その他、符号、構成、作用効果は実施例と同じである。
【産業上の利用可能性】
【００２０】
本発明は、野外トイレ場の実施例として説明したが、キャンピング用テント、野外コンサートの臨時の備品倉庫、休息室、仮設小屋、工事現場用仮眠テント、屋外臨時格納庫等としても巾広く使用できる。
【図面の簡単な説明】
【００２１】
【図１】実施例の組み立て状態を示す説明図である。
【図２】実施例を示す平面図である。
【図３】頂部金具を示す正面図である。
【図４】頂部金具の平面図である。
【図５】頂部金具を示す底面図である。
【図６】脚杆を示す説明図である。
【図７】連接杆を示す正面図である。
【図８】リングとかぎ棒の連係状態を示す説明図である。
【図９】実施例の取付金具を示す斜視図である。
【図１０】取付金具の取付状態を示す説明図である。
【図１１】実施例のフレームの形状と設置状態を示す説明図である。
【図１２】拡径連結具を示す説明図である。
【図１３】野外仮設トイレとしての使用状態を示す説明図である。
【図１４】実施例の他の例の頂部金具の斜視図である。
【図１５】実施例の他の例の頂部金具の平面図及びそのＡ−Ａ断面図である。
【図１６】実施例の他の例の頂部の固定及び解除の説明図である。
【図１７】実施例の他の例の連接杆と取付金具の説明図である。
【図１８】実施例の他の例のテント用伸縮フレームを分解・折り畳みした状態を示す説明図である。
【符号の説明】
【００２２】
１  テント用伸縮フレーム
２  頂部金具
２ａ，２ｂ  リング
２ｃ  通し孔
２ｄ  吊り具
３  脚杆
３ａ，３ｂ  パイプ
３ｃ  かぎ棒（バーフック）
３ｄ  拡径連結具
３ｅ  ボルト
３ｆ  ナット
４  取付金具
４ａ，４ｂ  縦半割筒体
４ｃ  蝶番
４ｄ，４ｅ  フランジ
４ｆ  連結具
４ｇ，４ｈ  リング
４ｉ  通し環
４ｊ  フック
５  連接杆
５ａ，５ｂ  パイプ
５ｃ  拡径連結具
５ｄ，５ｅ  かぎ棒（バーフック）
５ｆ  突起
６  ロープ
７  ロープ固定アンカー釘
８  主柱杆
９  テントシート
１０  アンカー釘
【図１】
2006328939.tif 000003
【図２】
2006328939.tif 000004
【図３】
2006328939.tif 000005
【図４】
2006328939.tif 000006
【図５】
2006328939.tif 000007
【図６】
2006328939.tif 000008
【図７】
2006328939.tif 000009
【図８】
2006328939.tif 000010
【図９】
2006328939.tif 000011
【図１０】
2006328939.tif 000012
【図１１】
2006328939.tif 000013
【図１２】
2006328939.tif 000014
【図１３】
2006328939.tif 000015
【図１４】
2006328939.tif 000016
【図１５】
2006328939.tif 000017
【図１６】
2006328939.tif 000018
【図１７】
2006328939.tif 000019
【図１８】
2006328939.tif 000020